(57)【要約】【課題】高層住宅のベランダに設置され、ベランダの上方の位置でも無理な姿勢で作業をとることなく安全に作業できる工事用足場における足場台昇降構造を提供すること。【解決手段】足場１０は、下段枠体１１と上段枠体１５と押圧機構５０とを備えている。押圧機構５０の主押圧体５６及び補助押圧体５５４をベランダ天井壁に押圧して、ベランダ床面とベランダ天井壁との間で、足場１０を固定する。上段枠体１５には、足場台３８を載置した昇降台２１を配置し、下段枠体１１内には、ラックギヤ２３１とピニオンギヤ２５とを歯合して構成する昇降駆動装置２０を配置する。ピニオンギヤ２５に歯合する駆動ギヤ３０を回転させることにより、昇降台２１に連結するラック支持枠２２を介して昇降台２１を昇降させる。【選択図】図１
2011111869.tif 000002
【特許請求の範囲】
【請求項１】
下面に配設されるベランダ床面と上面に配設されるベランダ天井壁と側面に配設されるベランダ側壁とでベランダが構成され、前記ベランダ床面に支持されて前記ベランダ内に配置される下段枠体と、前記下段枠体の上方で前記ベランダ側壁の外方に突出する上段枠体と、前記上段枠体の上方で前記ベランダ天井壁を押圧する押圧機構と、前記上段枠体内に昇降可能に配設される足場台と、を備える工事用足場における足場台昇降構造であって、
前記下段枠体には、前記足場台を昇降する昇降駆動装置が配設され、
前記上段枠体には、前記足場台を昇降する案内手段が配設され、
前記押圧機構が、前記ベランダ天井壁の幅方向に対して長尺状に形成された押圧体を備え、前記押圧体が前記ベランダ天井壁を面接触で押圧することを特徴とする工事用足場における足場台昇降構造。
【請求項２】
前記昇降駆動装置が、前記足場台を載置する昇降台を備えるとともに、ラックギヤと前記ラックギヤに係合するピニオンギヤとを備えて前記昇降台を昇降可能に構成され、前記昇降台の上昇時に前記ピニオンギヤが逆転防止可能に構成されていることを特徴とする請求項１記載の工事用足場における足場台昇降構造。
【請求項３】
前記昇降台が、油圧シリンダで落下防止可能に支持されていることを特徴とする請求項２記載の工事用足場における足場台昇降構造。
【請求項４】
前記押圧機構が、前記ベランダの室内側から室外側に向かう方向に対して前記ベランダ天井壁の中間部を押圧する主押圧体と、前記主押圧体より前記ベランダの室内側に配設されて前記天井壁を押圧する補助押圧体とを備えていることを特徴とする請求項１，２又は３記載の工事用足場における足場台昇降構造。
【発明の詳細な説明】
【技術分野】
【０００１】
本発明は、高層住宅又は超高層住宅等におけるベランダ外壁の清掃工事や改修工事を行うための工事用足場における足場台昇降構造に関する。
【背景技術】
【０００２】
地上２０階以上を越える高層住宅や超高層住宅での階段ベランダ側壁の清掃工事や改修工事等の外壁工事を行う場合、高層で発生するビル風が建物に当たって舞い上がったり、また吹き抜けたりすることによって、地上では考え難い風の影響を受けやすい。このため、従来から行われていたベランダ外壁工事、例えば、屋上からゴンドラを吊り下げて行う作業は、危険が大きいことから実施できにくい状況にあった。近年、超高層住宅が立ち並ぶ中、ベランダ外壁工事の際にゴンドラの落下する事故が発生している。また、地上から積み上げて構成するピケ足場の場合、高層住宅の場合では、足場作りが大掛かりな作業となって工事の長期化又は莫大な工事費用がかかり、現実には足場を構成することに無理が生じていた。
【０００３】
このことから、従来においては、特許文献１に知られるように、ベランダ内で組み付けることができる足場が提供されていた。これによると、足場は、ベランダの床面と天井壁とを突っ張るように支持する支柱を設けて足場本体を構成し、足場本体からベランダ外側に、張り出し枠体を突出させて作業枠体としていた。これによって、足場本体を簡略化することができるとともに、工期も短くすることができ、工事費用も廉価にすることができることとなっていた。
【先行技術文献】
【特許文献】
【０００４】
【特許文献１】特開平１１−２２３０１２号公報
【発明の概要】
【発明が解決しようとする課題】
【０００５】
しかし、高層住宅が２０階を越えて５０階以上に至る、いわゆるタワー型超高層マンション群では、冒頭に述べた、ビル風の影響を大いに受けることとなり、少しでも危険な作業を想定できるような構成にすることはできない。例えば、ベランダ外壁の上方位置での清掃作業中に、背伸びをしたり、踏み台に上ったりして作業することは危険であることから、安全な作業を行えるように足場を構成する必要があった。
【０００６】
特許文献１の足場では、作業者が、ベランダ外壁の上方位置での改修工事を行う際の安全対策は考慮されているものではなく、背伸びをしたり、踏み台を使用したりしなければならなかった。
【課題を解決するための手段】
【０００７】
本発明は、上述の課題を解決するものであり、高層ビルのベランダに設置できて短期間の工期で廉価に設置できる工事用足場であって、足場台を昇降させることにより、ベランダ外壁の上方位置でも安全に作業できる足場を提供することを目的とする。そのため、本発明に係る工事用足場における足場台昇降構造は、以下のように構成するものである。すなわち、
請求項１記載の発明は、下面に配設されるベランダ床面と上面に配設されるベランダ天井壁と側面に配設されるベランダ側壁とでベランダが構成され、前記ベランダ床面に支持されて前記ベランダ内に配置される下段枠体と、前記下段枠体の上方で前記ベランダ側壁の外方に突出する上段枠体と、前記上段枠体の上方で前記ベランダ天井壁を押圧する押圧機構と、前記上段枠体内に昇降可能に配設される足場台と、を備える工事用足場における足場台昇降構造であって、前記下段枠体には、前記足場台を昇降する昇降駆動装置が配設され、前記上段枠体には、前記足場台を昇降する案内手段が配設され、前記押圧機構が、前記ベランダ天井壁の幅方向に対して長尺状に形成された押圧体を備え、前記押圧体が前記ベランダ天井壁を面接触で押圧することを特徴とするものである。
【０００８】
請求項２記載の発明は、請求項１の発明に係るものであって、前記昇降駆動装置が、前記足場台を載置する昇降台を備えるとともに、ラックギヤと前記ラックギヤに係合するピニオンギヤとを備えて前記昇降台を昇降可能に構成され、前記昇降台の上昇時に前記ピニオンギヤが逆転防止可能に構成されていることを特徴としている。
【０００９】
請求項３記載の発明は、請求項２の発明に係るものであって、前記昇降台が、油圧シリンダで落下防止可能に支持されていることを特徴としている。
【００１０】
請求項４記載の発明は、請求項１，２又は３に係るものであって、前記押圧機構が、前記ベランダの室内側から室外側に向かう方向に対して前記ベランダ天井壁の中間部を押圧する主押圧体と、前記主押圧体より前記ベランダの室内側に配設されて前記天井壁を押圧する補助押圧体とを備えていることを特徴としている。
【発明の効果】
【００１１】
本発明の請求項１の構成によれば、下段枠体とベランダ天井壁の幅方向に沿って面接触で押圧する押圧機構とでベランダ床面とベランダ天井壁とを突っ張るように配設された足場には、ベランダ側壁の外方に突出して足場台を備える上段枠体が配設されている。足場台が昇降可能に配設されているから、ベランダ外壁工事を施工する際に、ベランダ外壁の上方位置で作業することがあっても、無理な姿勢をとることなく安全に工事を施工することができる。しかも、外壁工事を施工する階層のベランダ内で足場の組み付け・解体作業を行うことから、短期間の工期で廉価に施工することができる。
【００１２】
本発明の請求項２の構成によれば、昇降駆動装置が下段枠体に配設されたラック・ピニオン機構で構成されているから、簡単な構成で昇降台を昇降させることができるとともに、ピニオンギヤが逆回転防止可能に構成されているから、昇降台の上昇時に、昇降台を落下させることなく安全な昇降を行うことができる。
【００１３】
本発明の請求項３の構成によれば、昇降台は油圧シリンダで支持されているから、上昇した昇降台の落下の虞がなく、昇降台を昇降させても安全な作業を行うことができる。
【００１４】
本発明の請求項４の構成によれば、ベランダ天井壁を押圧する押圧機構が、ベランダ天井壁の幅方向に沿って、ベランダ天井壁を主押圧体と補助押圧体とで押圧できることから、ベランダ床面とベランダ天井壁とを強固に突っ張ることができ、足場を安全に構成することができる。
【図面の簡単な説明】
【００１５】
【図１】本発明における格納された足場台を示す全体斜視図である。
【図２】ベランダ内に配置された足場を示す側面図である。
【図３】ベランダ側から足場の下部を見た一部正面図である。
【図４】図１における下段枠体・上段を示す分解斜視図である。
【図５】昇降駆動装置のラックの取り付け状態を示す斜視図である。
【図６】ラック支持枠をロックピンで固定する状態を示す平面図及び要部拡大図である。
【図７】ラックとピニオンを示す斜視図である。
【図８】図１における押圧機構を示す斜視図である
【図９】本発明における上昇された足場台を示す全体斜視図である。
【発明を実施するための形態】
【００１６】
次に、本発明の工事用足場における足場台昇降構造に係る実施形態を図面に基づいて説明する。本発明のベランダ工事用足場（以下足場という）は、ビル風が吹き付ける超高層住宅に設置する足場として好適に使用できるものであるが、もちろん超高層住宅でなくても、ベランダが設置されている高層住宅にも適用することができる。足場は、高層住宅のベランダ内で組み付け・解体可能に構成されるものである。図１は足場１０の全体斜視図であり、図２はその側面図である。また、図３はベランダ側から足場１０の下部を見たときの一部正面図である。なお、図２に示すように、ベランダ１は、高層住宅の室外において、下面に配置されるベランダ床面３と上面に配置されるベランダ天井壁５と側面に配置されるベランダ側壁７とで構成されている。以下、ベランダ１の幅方向における室内側をベランダ室内側または前部といい、その反対側をベランダ室外側または後部と言う。
【００１７】
図１〜３に示すように、足場１０は、ベランダ床面３上を走行可能なキャスタ１２を備えた下段枠体１１と下段枠体１１の上方に配置される上段枠体１５と、上段枠体１５の上方に配置される押圧機構５０とを備えている。
【００１８】
実施形態の下段枠体１１は、図４に示すように、４隅下部にキャスタ１２（図２参照）を装着したベースプレート１３と、ベースプレート１３上のベランダ床面３の長手方向に沿って対向する２辺に立設する１対の下段側部枠体１４とを備えて構成されている。下段側部枠体１４の下部は、ベースプレート１３上に配置されて上部を開口したコ字形の側部枠体ベース１３１に挿入されている。キャスタ１２の外側においてベースプレート１３の４隅角部から外方に突出して足場１０の高さ調整を行う第１のアジャスタ１３２が装着され、キャスタ１２の内側にはそれぞれ第２のアジャスタ１３３が装着されている。
【００１９】
実施形態の下段側部枠体１４は、枠状に形成された枠体部１４１と、枠体部１４１の内部に水平方向に配置される中段横支柱１４２と、枠体部１４１の後方端部に垂直方向に配置された支持支柱１４３とを備えている。さらに、枠体部１４１の上面には、上段枠体１５を装着するための上段枠体ベース１４４が配置されている。上段枠体ベース１４４は上部を開口したコ字状に形成されている。なお、一対の下段側部枠体１４には、ベースプレート１３に装着された後、下段側部枠体１４のベランダ室内側において、図３の二点鎖線で示すように、１対の下段側部枠体１４に１対のターンパックル１４５をクロス状に懸架して下段枠体１１の前部での開き防止対策を図ってもよい。
【００２０】
上段枠体１５は、図１、図４に示すように、上段枠体ベース１４４に挿入して下段側部枠体１４の上部後方まで延設する１対の上段側部枠体１６と、１対の上段側部枠体１６の後部で１対の上段側部枠体１６と連結する後部枠体１７と、を備えている。実施形態の上段側部枠体１６は、矩形枠状に形成される枠体部１６１と、枠体部１６１の中間部に少なくとも２段に配置された横支柱１６２とで構成されている。また、１対の上段側部枠体１６の内側面には、後述の上段枠体１５内を昇降する昇降台２１の案内としてのガイドレール１６３が長手方向の両端部及び前部のそれぞれ３箇所において垂直方向に装着されている。両端部のガイドレール１６３ａは、昇降台２１の前後両端部の昇降案内をし、前部のガイドレール１６３ｂは、後述のラック体２３の昇降案内をしている。ガイドレール１６３ｂは下段枠体１１に配置された支持支柱１４３上方延長線上にあり、エレベータでの運搬時に、エレベータ内に収納できれば支持支柱１４３と一体的に形成されてもよい。さらに、上段側部枠体１６は、上段枠体ベース１４４に嵌合されるとともに、上段枠体ベース１４４より後方に向かって延設されている。
【００２１】
後部枠体１７は、枠体状に形成された枠体部１７１と、枠体部１７１内に水平方向に配置された少なくとも２段の横支柱１７２と、を備えて構成されている。また、枠体部１７１の上部角部には、１対の上段側部枠体１６の上部横支柱１６１ａを接続するための接続金具１７３が装着されている。接続金具１７３は、平面視Ｌ字状に形成されるとともに、上部横支柱１６１ａの上面から枠体部１６１を内嵌するために下部を開口する断面コ字状に形成されている。
【００２２】
１対の枠体部１６１の下部横支柱１６１ｂ間に、足場台ベース１８が懸架されている。足場台ベース１８は、１対の上段側部枠体１６、１６を固定支持するためのベース部１８１と、１対の下部横支柱１６１ｂに懸架する嵌合部１８２と、後部枠体１７を支持する後部枠支持部１８３とを有して形成されている。嵌合部１８２は、下部横支柱１６１ｂに外嵌するように、下方を開口したコ字状に形成され、下段枠体１１より後方の位置においてベース部１８１より上方に突出している。また、後部枠支持部１８３は、後部枠体１７の下部を挿入するために上方を開口したコ字状に形成されている。
【００２３】
１対の下段側部枠体１４の中段横支柱１４２には、図１〜３に示すように、昇降駆動装置２０を構成するピニオン組２４が装着されている。昇降駆動装置２０は、ラック・ピニオン機構で構成され、昇降台２１を昇降可能に構成している。昇降駆動装置２０は、図５に示すように、前述の昇降台２１と、１対の下段側部枠体１４間の後部に配置されるラック支持枠２２と、昇降台２１とともに昇降してラック支持枠２２に装着されるラック体２３と、ラック体２３に歯合するピニオンギヤ２５を備えたピニオン組２４（図４参照）とを備えている。
【００２４】
実施形態の昇降台２１は、角筒状の部材を前後方向に長尺状の矩形枠状に形成した上フレーム２１１と下フレーム２１２とを、隙間を有して二段に配置し、下方にラック支持枠２２に支持される角筒状の下部アーム２１３を配置している。上フレーム２１１と下フレーム２１２との間の隙間には、長手方向に沿って補強支柱２１４が３本配置され、補強支柱２１４と直交する方向に補強支柱２１５が３本配置されている。また、下部アーム２１３には、下フレーム２１２と垂直支柱２１６及び斜め補強支柱２１７で連結されている。さらに、昇降台２１の長手方向の側面両端部には、上フレーム２１１と下フレーム２１２とを連結する平面視コ字状のガイドシュー２１８がスペーサを介して装着されている。
【００２５】
実施形態のラック支持枠２２は、外枠を構成する矩形枠体２２１と、矩形枠体２２１内に配置される補強支柱２２２と、矩形枠体２２１の側面部に複数配置される矩形板状の取付け片２２３と、矩形枠体２２１の上面に配置される昇降台支持アーム２２４とから構成されている。
【００２６】
ラック体２３は、垂直方向に配置されるラックギヤ２３１と、ラックギヤ２３１を収容する第１凹部２３２ａを有して形成されるラックギヤ収納アーム２３２を備えている。ラックギヤ収納アーム２３２は、第１凹部２３２ａと直交する方向に開口する第２凹部２３２ｂを備えている。第２凹部２３２ｂは、１対の上段側部枠体１６のガイドレール１６３ｂに嵌合してガイドレール１６３ｂに対して摺動可能に形成されている。なお、１対のラックギヤ２３１は、ギヤ面をベランダ室内側に向けて配置されている。１対のラック体２３における対向する内側側面には、上方が開口された矩形状の収納凹部２３３がそれぞれ３箇所設けられ、ラック支持枠２２の各取付け片２２３が挿入される。取付け片２２３が収納凹部２３３に挿入された後、図６に示すように、磁石を内蔵するロックピン４０が挿通されて、ラック支持枠２２とラック体２３とを固定する。ロックピン４０は、図６の拡大図に示すように、金属材で形成された円柱状の頭部４１と円柱状の軸部４２と、軸部４２を挿通して頭部４１に形成された凹部４１ａに挿入する円環状の磁石部４３と、を備えている。磁石部４３は頭部４１に接着剤により接着されて、一体化されたロックピン４０として形成されている。ラック体２３の取付け片２２３が収納凹部２３３に挿入されると、ラック体２３のピン挿通孔２３３ａと取付け片２２３のピン挿通孔２２３ａにロックピン４０が挿通されて、ラック支持枠２２がラック体２３に支持される。
【００２７】
図６〜７に示すように、ラックギヤ２３１には、ピニオンギヤ２５が歯合されている。ピニオンギヤ２５は、図４、図７に示すように、ピニオン組２４内に配置されている。実施形態のピニオン組２４は、１対の下段側部枠体１４の中段横支柱１４２に嵌合する１対のピニオン組ベース２６と、ピニオン組ベース２６の上方に配置される１対の軸支持パイプ２７と、１対のピニオンギヤ２５を装着して１対の軸支持パイプ２７に支持されるピニオン軸２８と、ピニオンギヤ２５に歯合してピニオンギヤ２５を駆動する駆動ギヤ３０を装着した駆動軸２９と、を備えている。ピニオン組ベース２６は、下方を開口したコ字状に形成され、軸支持パイプ２７は角パイプで形成され、ピニオン軸２８と駆動軸２９とは、軸支持パイプ２７の長手方向に沿って並設されている。
【００２８】
駆動軸２９には、ピニオンギヤ２５と歯合する駆動ギヤ３０が装着されている。駆動ギヤ３０は、ピニオンギヤ２５を間にしてラックギヤ２３１と反対側に配置されている。駆動軸２９が一方の軸支持パイプ２７を挿通した先端には、駆動軸２９を手動で駆動する操作ハンドル３１が装着されている。操作ハンドル３１は駆動ギヤ３０を回転しやすくするために、駆動ギヤ３０より大径に形成され、操作ハンドル３１の周縁部付近に、手動操作ピン３１１が配置されている。また、駆動ギヤ３０には、昇降台２１が昇降する際に、正転しているピニオンギヤ２５の逆方向への回転を防止するために、駆動ギヤ３０にラチェット３２が掛止されている。図６の拡大図に示すように、ラチェット３２は、駆動ギヤ３０の各歯部３０１に掛止するレバー部３２１を有し、正転方向には各歯部３０１がレバー部３２１を押し上げて回転可能とし、逆転方向には、各歯部３０１がレバー部３２１の先端面に当接して回転不能としている。また、駆動ギヤ３０との掛止及び掛止解除するためのラチェット開放レバー３３がラチェット３２にシャフト３２２を介して連結されている。したがって、昇降台２１を下降させる際には、ラチェット開放レバー３３を回転させて、ラチェット３２のレバー部３２１を駆動ギヤ３０の各歯部３０１から離隔させることになる。
【００２９】
図１及び図３に示すように、ベースプレート１３上には、１対のラック体２３の間に油圧シリンダ３５が配置されている。油圧シリンダ３５は油圧シリンダ台３６に載置されて、シリンダロッドの先端に昇降台２１の下フレーム２１２に当接する支持ベース３７を備えている。また、図４に示すように、昇降台２１の上フレーム２１１の上面全体にわたって板状の足場台３８が敷設されている。足場台３８の後部において、作業者の周りを囲む安全カバー３９が装着されている。安全カバー３９は上段枠体１５内で、前部を開口して作業者の周りを３面で保護するように足場台３８から立設されている。安全カバー３９の下端部は外側に屈折されて、足場台３８の３箇所の掛止部３８１に掛止されている。
【００３０】
図１、図８に示すように、上段枠体１５上には押圧機構５０が配置されて、ベランダ天井壁５を押圧可能にしている。押圧機構５０には、１対の上段側部枠体１６の上部横支柱１６１ａを架け渡すように、押圧部ベース５１が配置されている。押圧部ベース５１は、一対の上段側部枠体１６、１６を跨ぐ方向の両側の端部５１１が上方に立ち上がって形成され、その外側面に下方を開口するコ字状に形成されて上部横支柱１６１ａに嵌合する嵌合部５１２を備えている。端部５１１の内側部には押圧部ベース５１上に配置する１対の角筒状のスライダベース５２がベランダ室内側からベランダ室外側に向かう方向に沿って装着され、さらにその内側には、押圧部ベース５１に支持された１対の主ジャッキ５３が配置されている。実施形態における主ジャッキ５３は、パンタグラフ状に構成されるネジ式ジャッキが使用され、主ジャッキ５３の上面に主押圧体５６が装着されている。主押圧体５６は、ベランダ室内側からベランダ室外側に長尺状に延びる棒状部材で形成されている。材料は、ベランダ天井壁５より軟質の材料で形成され、ベランダ天井壁５の凹凸状表面に追随できるようにしている。主押圧体５６の幅方向の寸法は、特に規制するものではないが、繰り返しの使用で、一部集中的な圧力を受けない程度の広さに形成することが望ましい。
【００３１】
スライダベース５２内には、スライダ５４がスライダベース５２に対して摺動可能に挿入されている。スライダ５４のベランダ室内側先端には、補助ジャッキ５５が配置されている。補助ジャッキ５５は、スライダ５４に固着されたナット部材５５１にネジ部材５５２が螺合されている。ネジ部材５５２はハンドル部材５５３の回動によって高さ調整がなされて、先端の補助押圧体５５４によりベランダ天井壁５を押圧可能に配置されている。また、補助ジャッキ５５は、スライダ５４の摺動によりベランダ室内に向かって位置調整可能に配置されている。スライダ５４には複数のピン挿通孔５４１が形成され、いずれかのピン挿通孔５４１とスライダベース５２に形成されたピン挿通孔５２１とともに、前述のロックピン４０を挿通することによりスライダ５４が位置固定されて、補助ジャッキ５５の位置が調整される。
【００３２】
次に、上述のように構成された足場１０の組立手順や外壁工事の作業手順について説明する。
【００３３】
まず、作業を行う階層に、分割された複数の足場１０のそれぞれの部位を高層住宅のエレベータによって運搬する。分割された部位は、下段枠体１１、ベースプレート１３、上段枠体１５、足場台３８の各部位、昇降駆動装置２０の各部位等、全てエレベータ内に収納できる大きさに形成されている。
【００３４】
上記の各部位を、作業する階層に持ち運んだ後、ベランダ１内において足場１０を組み立てる。まず、ベースプレート１３上に１対の下段側部枠体１４を装着した後、１対の下段側部枠体１４を、例えば、図３に示すようなターンパックル１４５で連結して、下段側部枠体１４の垂直方向を固定する。次にラック体２３を装着し、ラック支持枠２２の取付け片２２３をラック体２３の収納凹部２３３に収納させて、１対の下段側部枠体１４の幅決めを行う。ラックギヤ２３１に歯合するピニオンギヤ２５を取付けた後、上段側部枠体１６を下段側部枠体１４の上段枠体ベース１４４に嵌入し、ロックピン４０を挿入してロックする。そして、昇降台２１・油圧シリンダ３５を含めて昇降駆動装置２０を組付ける。
【００３５】
その後、後部枠体１７、足場台ベース１８を装着して、上段枠体１５を組付ける。
【００３６】
上段枠体１５を組付けると、足場台３８、安全カバー３９を装着した後、上段側部枠体１６の一対の上部横支柱１６１ａに押圧部ベース５１を架け渡して、押圧機構５０を組付ける。そして、補助ジャッキ５５の位置調整を行った後、主ジャッキ５３、及び補助ジャッキ５５のネジ調整を行って、足場１０をベランダ１内で突っ張るように固定する。
【００３７】
この状態では、昇降台２１、足場台３８や安全カバー３９等は、昇降駆動装置２０で上昇されていない格納位置にある。
【００３８】
ベランダ外壁の清掃工事を行うために、作業者は、脚立等を利用して、足場台３８に上る。そして、足場台３８の格納位置の範囲内で外壁清掃作業をおこなう。さらに高い位置での作業を行う場合には、図７に示すように、第三者あるいは自らにより、昇降駆動装置２０の操作ハンドル３１を回転することにより、駆動ギヤ３０、ピニオンギヤ２５を回転させる。ピニオンギヤ２５の回転によりピニオンギヤ２５と歯合するラックギヤ２３１が上昇し、ラック体２３が支持支柱１４３に対して上昇移動する。図９に示すように、昇降台２１は、上段枠体１５のガイドレール１６３に案内されて上昇移動する。そして、上層階のベランダ側壁７の上部の位置での清掃・改修工事を行う。
【００３９】
昇降台２１や足場台３８が上昇しても、昇降台２１は油圧シリンダ３５によって支持されているから、落下する虞がない。また、駆動ギヤ３０にラチェット３２で逆転防止されているから、ピニオンギヤ２５が逆方向に回転することはなくラック体２３を落下させる虞がない。
【００４０】
所定の場所での作業を終了すると、キャスタ１２を移動させてその階層の次の場所に移動して同様の清掃・改修工事を行う。その階層での全ての工事を終了すると、作業者はベランダ１内で足場１０を分解し、次の階層に向かうことになる。
【００４１】
上述のように、実施形態の足場１０では、上段枠体１５に昇降台２１を設置し、昇降駆動装置２０で昇降台２１を昇降させているから、昇降台２１上に載置して作業者が作業するために配置された足場台３８をベランダ側壁７の外方で昇降させることができ、無理な姿勢をとらずに、高い位置への清掃・改修工事を行うことができる。しかも、油圧シリンダ３５による昇降台２１の支持や、ラチェット３２によるピニオンギヤ２５の逆転防止を図っていることから、昇降台２１を安全に昇降させることができる。また、ベランダ１内で組み付け分解できることから、工期を短縮できて廉価な費用で行うことが可能となる。
【００４２】
また、ベランダ天井壁５を主押圧体５６と補助押圧体５５４とで押圧するから、ベランダ１内での足場１０を強固に固定支持することができる。
【００４３】
なお、実施形態の足場１０は、ベランダ床面３とベランダ天井壁５とを突っ張るように構成されるとともに、昇降台２１が昇降可能に構成されているものであれば、上記形態に限定するものではない。また、昇降駆動装置２０は、ラック・ピニオン機構でなくても、油圧シリンダで昇降させてもよい。さらに２種の部材を固定させるロックピン４０を、上記形態では、ラック支持枠２２の下段側部枠体１４への固定、及び、押圧機構５０におけるスライダベース５２とスライダ５４との固定に使用しているが、他の部位においても、使用することができる。
【符号の説明】
【００４４】
１、ベランダ
３、ベランダ床面
５、ベランダ天井壁
７、ベランダ側壁
１０、足場
１１、下段枠体
１５、上段枠体
２０、昇降駆動装置
２１、昇降台
２３１、ラックギヤ
２５、ピニオンギヤ
３２、ラチェット
３５、油圧シリンダ
３８、足場台
５０、押圧機構
５５４、補助押圧体
５６、主押圧体
【図１】
2011111869.tif 000003
【図２】
2011111869.tif 000004
【図３】
2011111869.tif 000005
【図４】
2011111869.tif 000006
【図５】
2011111869.tif 000007
【図６】
2011111869.tif 000008
【図７】
2011111869.tif 000009
【図８】
2011111869.tif 000010
【図９】
2011111869.tif 000011